(57)【要約】【課題】遮断用接点の動作試験の手間を低減する。【解決手段】遮断器試験器は、遮断用接点の動作状態を試験する試験器であって、畜勢回路に畜勢指示を出力する畜勢指示部と、供給される交流電力の電圧を供試電圧に調整する電圧調整部と、電圧調整部が調整した供試電圧の電力を整流して直流電流を出力する整流部と、整流部が出力する直流電流を、投入駆動部及び開放駆動部に対して供試電流として出力する電流出力部と、直流電流の電圧を出力する電圧出力端子と、電流出力部が供試電流を出力するタイミングを出力するタイミング出力端子と、を備える。【選択図】図１
2019204640.tif 000002
【特許請求の範囲】
【請求項１】
遮断用接点と、畜勢状態が解除されることにより前記遮断用接点を閉状態に切り替える投入弾性体と、前記投入弾性体によって畜勢されるとともに畜勢状態が解除されることにより前記遮断用接点を開状態に切り替える開放弾性体と、前記投入弾性体を畜勢する畜勢駆動部と、前記投入弾性体を畜勢する指示として供給される畜勢指示に基づいて前記畜勢駆動部を駆動する畜勢回路と、供給される電流によって前記投入弾性体の畜勢状態を解除する投入駆動部と、供給される電流によって前記開放弾性体の畜勢状態を解除する開放駆動部とを備える遮断器の前記遮断用接点の動作状態を試験する試験器であって、
前記畜勢回路に前記畜勢指示を出力する畜勢指示部と、
供給される交流電力の電圧を供試電圧に調整する電圧調整部と、
前記電圧調整部が調整した前記供試電圧の電力を整流して直流電流を出力する整流部と、
前記整流部が出力する前記直流電流を、前記投入駆動部及び前記開放駆動部に対して供試電流として出力する電流出力部と、
前記直流電流の電圧を出力する電圧出力端子と、
前記電流出力部が前記供試電流を出力するタイミングを出力するタイミング出力端子と、
を備える遮断器試験器。
【請求項２】
前記電流出力部は、
前記投入駆動部及び前記開放駆動部のいずれに前記供試電流を出力するのかを選択する操作を受け付ける選択操作部と、
前記投入駆動部及び前記開放駆動部のうち、前記選択操作部によって選択される駆動部に対して前記供試電流を出力する操作を受け付ける出力操作部と、
を備える請求項１に記載の遮断器試験器。
【請求項３】
前記整流部は、
前記電圧調整部が出力する前記供試電圧の電力を平滑化する平滑コンデンサを備え、
前記平滑コンデンサに蓄電される電力を放電させる放電部
を更に備える請求項１又は請求項２に記載の遮断器試験器。
【発明の詳細な説明】
【技術分野】
【０００１】
本発明は、遮断器試験器に関する。
【背景技術】
【０００２】
従来、配電系統等に設置される開閉器（遮断器）が提案されている（例えば、特許文献１を参照。）。このような遮断器においては、畜勢された投入バネの畜勢が解放される際に生じる力によって、遮断用接点が遮断状態から導通状態に切り替えられる。この投入バネは、遮断器に供給される電力によって駆動されるモータの動力などによって畜勢される。
【先行技術文献】
【特許文献】
【０００３】
【特許文献１】特開２００８−０７２８５２号公報
【発明の概要】
【発明が解決しようとする課題】
【０００４】
このような遮断器においては、遮断用接点の動作時間や最低動作電圧を定期的に試験する必要がある。遮断用接点の動作試験においては、遮断器と系統との接続を切り離した状態、つまり、遮断器に電力が供給されない状態で行われる。したがって、遮断用接点の動作試験においては、遮断用接点を動作させるために遮断器の外部から電力を供給する必要がある。従来の遮断器の試験においては、投入バネを畜勢するための電力を供給するための手間が生じるという問題があった。
【課題を解決するための手段】
【０００５】
本発明の一態様は、遮断用接点と、畜勢状態が解除されることにより前記遮断用接点を閉状態に切り替える投入弾性体と、前記投入弾性体によって畜勢されるとともに畜勢状態が解除されることにより前記遮断用接点を開状態に切り替える開放弾性体と、前記投入弾性体を畜勢する畜勢駆動部と、前記投入弾性体を畜勢する指示として供給される畜勢指示に基づいて前記畜勢駆動部を駆動する畜勢回路と、供給される電流によって前記投入弾性体の畜勢状態を解除する投入駆動部と、供給される電流によって前記開放弾性体の畜勢状態を解除する開放駆動部とを備える遮断器の前記遮断用接点の動作状態を試験する試験器であって、前記畜勢回路に前記畜勢指示を出力する畜勢指示部と、供給される交流電力の電圧を供試電圧に調整する電圧調整部と、前記電圧調整部が調整した前記供試電圧の電力を整流して直流電流を出力する整流部と、前記整流部が出力する前記直流電流を、前記投入駆動部及び前記開放駆動部に対して供試電流として出力する電流出力部と、前記直流電流の電圧を出力する電圧出力端子と、前記電流出力部が前記供試電流を出力するタイミングを出力するタイミング出力端子と、を備える遮断器試験器である。
【０００６】
また、本発明の一態様の遮断器試験器において、前記電流出力部は、前記投入駆動部及び前記開放駆動部のいずれに前記供試電流を出力するのかを選択する操作を受け付ける選択操作部と、前記投入駆動部及び前記開放駆動部のうち、前記選択操作部によって選択される駆動部に対して前記供試電流を出力する操作を受け付ける出力操作部とを備える。
【０００７】
また、本発明の一態様の遮断器試験器において、前記整流部は、前記電圧調整部が出力する前記供試電圧の電力を平滑化する平滑コンデンサを備え、前記平滑コンデンサに蓄電される電力を放電させる放電部を更に備える。
【発明の効果】
【０００８】
本発明によれば、遮断用接点の動作試験の手間を低減することができる遮断器試験器を提供することができる。
【図面の簡単な説明】
【０００９】
【図１】本実施形態の遮断器試験器の外観の一例を示す図である。
【図２】遮断器の構成の概要の一例を示す図である。
【図３】本実施形態の遮断器試験器の操作パネルの外観の一例を示す図である。
【図４】本実施形態の遮断器試験器の回路構成の一例を示す図である。
【図５】本実施形態の遮断器試験器による試験シーケンスの一例を示す図である。
【発明を実施するための形態】
【００１０】
［実施形態］
以下、図面を参照して、本発明に係る遮断器試験器１の一実施形態について説明する。
図１は、本実施形態の遮断器試験器１の外観の一例を示す図である。本実施形態の遮断器試験器１は、遮断器２の動作状態を試験する試験器である。遮断器試験器１は、キャスターなどの車輪を備えており、床上を移動可能な可搬型の試験器として構成される。
まず、図２を参照して遮断器試験器１の試験対象の機器である遮断器２の構成の一例について説明する。
【００１１】
［遮断器２の構成］
図２は、遮断器２の構成の概要の一例を示す図である。遮断器２は、畜勢コイル２１と、投入コイル２２と、投入ラッチ２２−１と、開放コイル２３と、開放ラッチ２３−１と、投入バネ２４と、開放バネ２５と、遮断用接点２６と、畜勢モータ２７と、インターロック部２８とを備える。
【００１２】
投入コイル２２（投入駆動部）は、供給される電流によって投入バネ２４（投入弾性体）の畜勢状態を解除する。具体的には、投入コイル２２は、投入ラッチ２２−１を駆動する。投入ラッチ２２−１は、投入バネ２４が畜勢された状態を保持する保持状態と、投入バネ２４の畜勢状態を解除する開放状態とを有する。投入コイル２２は、電流が供給されると、投入ラッチ２２−１を保持状態から開放状態に変化させることにより、投入バネ２４の畜勢状態を解除する。
【００１３】
開放コイル２３（開放駆動部）は、供給される電流によって開放バネ２５（開放弾性体）の畜勢状態を解除する。具体的には、開放コイル２３は、開放ラッチ２３−１を駆動する。開放ラッチ２３−１は、開放バネ２５が畜勢された状態を保持する保持状態と、開放バネ２５の畜勢状態を解除する開放状態とを有する。開放コイル２３は、電流が供給されると、開放ラッチ２３−１を保持状態から開放状態に変化させることにより、開放バネ２５の畜勢状態を解除する。
【００１４】
投入バネ２４（投入弾性体）は、畜勢状態が解除されることにより遮断用接点２６を開状態から閉状態に切り替える。なお、以下の説明において、遮断用接点２６の開状態のことを「遮断状態」と、閉状態のことを「導通状態」とも記載する。
開放バネ２５（開放弾性体）は、畜勢状態が解除されることにより遮断用接点２６を導通状態から遮断状態に切り替える。この開放バネ２５は、投入バネ２４の畜勢状態が解除される際に投入バネ２４から放出されるエネルギーによって畜勢される。
【００１５】
畜勢コイル２１は、畜勢指示に基づいて畜勢モータ２７（畜勢駆動部）を駆動する。ここで畜勢指示とは、投入バネ２４（投入弾性体）を畜勢する指示として遮断器２の内部の制御機器（又は遮断器２の外部）から供給される信号である。
畜勢モータ２７（畜勢駆動部）は、投入バネ２４（投入弾性体）を畜勢する。
インターロック部２８は、畜勢コイル２１と投入コイル２２とが同時に駆動されないように、及び投入コイル２２と開放コイル２３とが同時に駆動されないように制御する。
【００１６】
［遮断器試験器１の構成］
次に、図３及び図４を参照して、遮断器試験器１の構成について説明する。
図３は、本実施形態の遮断器試験器１の操作パネルの外観の一例を示す図である。
図４は、本実施形態の遮断器試験器１の回路構成の一例を示す図である。
【００１７】
遮断器試験器１は、電源端子１１０と、アース端子１１１と、一次側ブレーカ１２０と、電源ランプ１３０と、電圧調整部１４０と、二次側ヒューズ１５０と、整流部ＲＥＧと、放電部ＤＣと、電圧計１８０と、二次側ブレーカ１９０と、整流ブリッジ２００と、畜勢出力ランプ２１０とを備える。また、遮断器試験器１は、その操作パネルに、交流電力アウトレットＡＣと、選択操作スイッチＳＷ１と、出力操作スイッチＳＷ２と、畜勢指示スイッチＳＷ３と、放電スイッチＳＷ４と、電圧計出力端子ＴＭ１と、遮断器操作出力端子ＴＭ２と、タイミング出力端子ＴＭ３と、畜勢出力端子ＴＭ４とを備える。
【００１８】
電源端子１１０は、遮断器試験器１の動作電源が供給される端子であり、商用電源に接続される。アース端子１１１は、遮断器試験器１の接地用端子である。
一次側ブレーカ１２０は、電源端子１１０に供給される動作電源の電流値が所定電流を超える場合に、供給される電流を遮断する。
電源ランプ１３０は、電源端子１１０に電源が供給され、かつ一次側ブレーカ１２０が導通状態である場合に点灯する。
交流電力アウトレットＡＣは、電源端子１１０から供給される交流電力を他の装置に出力する。
【００１９】
電圧調整部１４０は、例えば電圧可変型の単巻変圧器であり、電源端子１１０に供給される商用電源の電圧（例えば、１００Ｖ）を、供試電圧ＶＴに変圧する。すなわち、電圧調整部１４０は、供給される交流電力の電圧を供試電圧ＶＴに調整する。
【００２０】
二次側ヒューズ１５０は、電圧調整部１４０の二次側電流値が所定電流を超える場合に、溶断することにより電流を遮断する。
【００２１】
整流部ＲＥＧは、整流ブリッジ１６０と、平滑コンデンサ１７０とを備えており、電圧調整部１４０が調整した供試電圧ＶＴの電力を整流して直流電流を出力する。平滑コンデンサ１７０は、比較的大きな静電容量（例えば、２２００μＦ）を有しており、電圧調整部１４０から整流ブリッジ１６０を介して出力される供試電圧ＶＴの電力を平滑化する。
【００２２】
放電部ＤＣは、放電抵抗Ｒと、放電スイッチＳＷ４とを備えており、平滑コンデンサ１７０に蓄電される電力を放電させる。
【００２３】
電圧計１８０は、電圧調整部１４０によって調整された電力の電圧を表示する。なお、電圧計１８０は、校正されていない簡易計器であってもよい。
二次側ブレーカ１９０は、整流部ＲＥＧから出力される直流電流の電流値が所定電流を超える場合に電流を遮断する。
電圧計出力端子ＴＭ１（電圧出力端子）は、整流部ＲＥＧによって整流された直流電流の電圧Ｖ、すなわち供試電圧ＶＴを出力する。この電圧計出力端子ＴＭ１には、校正済み電圧計４が接続される。
【００２４】
遮断器操作出力端子ＴＭ２は、遮断器２の投入コイル２２及び開放コイル２３に接続される。具体的には、遮断器操作出力端子ＴＭ２は、開放コイル接続端子ＴＭ２１と、投入コイル接続端子ＴＭ２２と、共通端子ＴＭ２３とを備えている。開放コイル接続端子ＴＭ２１は、開放コイル２３の正極側端子に接続される。投入コイル接続端子ＴＭ２２は、投入コイル２２の正極側端子に接続される。共通端子ＴＭ２３は、開放コイル２３の負極側端子及び投入コイル２２の負極側端子に接続される。
遮断器操作出力端子ＴＭ２（電流出力部）は、整流部ＲＥＧが出力する直流電流を、投入コイル２２及び開放コイル２３に対して供試電流ＩＴとして出力する。
【００２５】
選択操作スイッチＳＷ１（選択操作部）は、投入コイル２２及び開放コイル２３のいずれに供試電流ＩＴを出力するのかを選択する操作を受け付ける。
出力操作スイッチＳＷ２（出力操作部）は、投入コイル２２及び開放コイル２３のうち、選択操作スイッチＳＷ１によって選択される駆動部に対して供試電流ＩＴを出力する操作を受け付ける。
リレーＲＬＹは、出力操作スイッチＳＷ２の操作に基づいて、供試電流ＩＴを遮断器操作出力端子ＴＭ２に出力するとともに、タイミング出力端子ＴＭ３の端子間を接続（短絡）する。
【００２６】
タイミング出力端子ＴＭ３は、経過時間カウンタ３に接続され、遮断器操作出力端子ＴＭ２が供試電流ＩＴを出力するタイミングを出力する。この一例では、経過時間カウンタ３は、起動端子と、停止端子とを備えている（図２を参照。）。経過時間カウンタ３は、起動端子の接続状態が変化した場合（すなわち、開放状態から短絡状態に変化した場合、又は短絡状態から開放状態に変化した場合。）に、時間計測を開始する。また、経過時間カウンタ３は、停止端子の接続状態が変化した場合（すなわち、開放状態から短絡状態に変化した場合、又は短絡状態から開放状態に変化した場合。）に、時間計測を停止する。経過時間カウンタ３の起動端子には、タイミング出力端子ＴＭ３が接続される。経過時間カウンタ３の停止端子には、遮断用接点２６の両端が接続される。この場合、経過時間カウンタ３は、遮断器試験器１が遮断器２に対して供試電流ＩＴを出力したタイミングにおいて時間計測を起動し、遮断用接点２６の接点の状態（投入状態又は開放状態）が変化したタイミングにおいて時間計測を停止する。すなわち、経過時間カウンタ３は、遮断器試験器１が遮断器２に対して遮断用接点２６の動作指示を出力したタイミングから、遮断器２の遮断用接点２６が動作したタイミングまでの時間（つまり、遮断用接点２６の作動時間）を計測する。
なお、経過時間カウンタ３の駆動電源を供給する電源コード３１は、遮断器試験器１が備える交流電力アウトレットＡＣに接続される。すなわち、交流電力アウトレットＡＣは、経過時間カウンタ３の駆動電源を供給する。
【００２７】
畜勢出力端子ＴＭ４は、遮断器２の畜勢コイル２１（畜勢回路）に畜勢指示を出力する。
畜勢指示スイッチＳＷ３（畜勢指示部）は、遮断器２の畜勢コイル２１（畜勢回路）に畜勢指示を出力する操作を受け付ける。整流ブリッジ２００は、電源端子１１０に供給される電力を直流に変換する。畜勢出力ランプ２１０は、畜勢出力端子ＴＭ４から畜勢指示を出力していることを示す。
【００２８】
［遮断器試験器１による試験シーケンス］
次に、図５を参照して本実施形態の遮断器試験器１による試験シーケンスの一例について説明する。
図５は、本実施形態の遮断器試験器１による試験シーケンスの一例を示す図である。以降においては、遮断器試験器１に、動作電源と、遮断器２、経過時間カウンタ３、校正済み電圧計４がそれぞれ接続されている場合について説明する。
【００２９】
（手順１：供試電圧ＶＴの調整）試験作業者は、電圧計出力端子ＴＭ１に接続されている校正済み電圧計４の電圧を読み取りながら、遮断器操作出力端子ＴＭ２から出力される供試電圧ＶＴが試験に適した電圧になるように、電圧調整部１４０を操作する。ここで、試験に適した電圧とは、例えば、最低動作電圧試験の場合には、遮断用接点２６の最低動作電圧についての定格値程度の電圧である。より具体的には、遮断用接点２６の最低動作電圧についての定格値が例えば「４０Ｖ」である場合には、４５Ｖ〜３５Ｖの間の１Ｖ刻みの値（４５Ｖ、４４Ｖ、…、３６Ｖ、３５Ｖ）が試験に適した電圧であり、そのうちの１つの電圧値が供試電圧ＶＴとして選択される。
【００３０】
（手順２：投入バネ２４の畜勢）試験開始タイミングにおいて、投入バネ２４は、畜勢されていない。試験作業者は、遮断器試験器１の畜勢指示スイッチＳＷ３をオン状態にする（時刻ｔ１１）。この結果、遮断器試験器１は、畜勢出力端子ＴＭ４から遮断器２の畜勢コイル２１に対して畜勢電流を出力する。
畜勢電流が出力されると、畜勢コイル２１がオン状態となり、畜勢モータ２７を起動して投入バネ２４を畜勢する（時刻ｔ１２）。
投入バネ２４が畜勢状態になったのち、試験作業者は、遮断器試験器１の畜勢指示スイッチＳＷ３をオフ状態にする（時刻ｔ１３）。
【００３１】
（手順３：遮断用接点２６の投入動作）試験作業者は、選択操作スイッチＳＷ１を「投入（ＣＬ）」側に切り替えた後、出力操作スイッチＳＷ２をオン状態にする（時刻ｔ２１）。この結果、遮断器試験器１は、遮断器操作出力端子ＴＭ２（投入コイル接続端子ＴＭ２２と共通端子ＴＭ２３との間）に供試電流ＩＴを供給する。同時に遮断器試験器１は、タイミング出力端子ＴＭ３の端子間を接続（短絡）する。
経過時間カウンタ３は、タイミング出力端子ＴＭ３の端子間が短絡されると、計時を開始する。
遮断器２は、遮断器操作出力端子ＴＭ２から供試電流ＩＴが供給されると、投入コイル２２がオン状態となり、投入ラッチ２２−１を開放する。
この結果、畜勢された投入バネ２４の畜勢状態が解除され、遮断用接点２６が通電状態になる。投入バネ２４が開放されることにより、開放バネ２５が畜勢される。
また、経過時間カウンタ３は、遮断用接点２６が通電状態になると、計時を停止する（時刻ｔ２２）。
経過時間カウンタ３は、時刻ｔ２１から時刻ｔ２２までの経過時間を、通電開始動作時の遮断用接点２６の動作時間として計測する。
遮断用接点２６が通電状態にされたのち、試験作業者は、遮断器試験器１の出力操作スイッチＳＷ２をオフ状態にする（時刻ｔ２３）。
【００３２】
（手順４：遮断用接点２６の遮断動作）試験作業者は、選択操作スイッチＳＷ１を「遮断（ＯＰ）」側に切り替えた後、出力操作スイッチＳＷ２をオン状態にする（時刻ｔ３１）。この結果、遮断器試験器１は、遮断器操作出力端子ＴＭ２（開放コイル接続端子ＴＭ２１と共通端子ＴＭ２３との間）に供試電流ＩＴを供給する。同時に遮断器試験器１は、タイミング出力端子ＴＭ３の端子間を接続（短絡）する。
経過時間カウンタ３は、タイミング出力端子ＴＭ３の端子間が短絡されると、計時を開始する。
遮断器２は、遮断器操作出力端子ＴＭ２から供試電流ＩＴが供給されると、開放コイル２３がオン状態となり、開放ラッチ２３−１を開放する。
この結果、畜勢された開放バネ２５の畜勢状態が解除され、遮断用接点２６が遮断状態になる。
また、経過時間カウンタ３は、遮断用接点２６が遮断状態になると、計時を停止する（時刻ｔ３２）。
経過時間カウンタ３は、時刻ｔ３１から時刻ｔ３２までの経過時間を、遮断動作時の遮断用接点２６の動作時間として計測する。
遮断用接点２６が遮断状態にされたのち、試験作業者は、遮断器試験器１の出力操作スイッチＳＷ２をオフ状態にする（時刻ｔ３３）。
【００３３】
試験作業者は、ある供試電圧ＶＴにおける試験手順が終了した後、次の供試電圧ＶＴについての試験手順を実施する。すなわち、試験作業者は、複数の供試電圧ＶＴについて、供試電圧ＶＴごとに手順１から手順４までを繰り返し実施する。
【００３４】
［実施形態のまとめ］
以上説明したように、本実施形態の遮断器試験器１は、遮断器操作出力端子ＴＭ２とは別に、畜勢出力端子ＴＭ４を備えている。
ここで、従来の遮断器試験器においては、畜勢出力端子ＴＭ４を備えていない場合があった。この従来の構成による遮断器試験器の場合、投入バネ２４を畜勢するためには、投入コイル２２及び開放コイル２３が接続される端子を、畜勢コイル２１に対する畜勢電流を供給する端子としても兼用する場合があった。遮断用接点２６の投入試験と遮断試験とを繰り返すたびに投入バネ２４を畜勢する必要があるが、この従来の構成による遮断器試験器の場合、試験を繰り返すたびに端子と遮断器２との間の接続を繋ぎかえる手間が生じていた。具体的には、この従来の構成による遮断器試験器の場合、試験器を操作する操作者と接続の繋ぎ替えを担当する繋ぎ替え作業者との２人組で作業を行う必要があったり、１人の操作者が試験器の操作と繋ぎ替えの作業とを繰り返し行う必要があったりした。
【００３５】
本実施形態の遮断器試験器１は、遮断器操作出力端子ＴＭ２とは別に、畜勢出力端子ＴＭ４を備えるため、端子と遮断器２との間の接続を繋ぎかえなくても、投入バネ２４を畜勢することができる。したがって、本実施形態の遮断器試験器１によれば、試験の手間を低減することができる。
【００３６】
また、本実施形態の遮断器試験器１は、選択操作スイッチＳＷ１（選択操作部）と、出力操作スイッチＳＷ２とを備えている。ここで、選択操作スイッチＳＷ１は、投入コイル２２及び開放コイル２３のいずれに供試電流ＩＴを出力するのかを選択する操作を受け付ける。また、出力操作スイッチＳＷ２は、選択操作スイッチＳＷ１によって選択される駆動部に対して供試電流ＩＴを出力する操作を受け付ける。つまり、遮断器試験器１は、供試電流ＩＴを出力するスイッチと、供試電流ＩＴの出力先を切り替えるスイッチとが別体のスイッチとして構成されている。このため、供試電流ＩＴの出力先を排他的に切り替えることができ、投入コイル２２と開放コイル２３との両方に同時に供試電流ＩＴを出力してしまうことを抑止することができる。
【００３７】
また、本実施形態の遮断器試験器１は、放電部ＤＣを備えている。この放電部ＤＣは、放電スイッチＳＷ４の操作により、平滑コンデンサ１７０に蓄電された電荷を放電する。試験中においては、平滑コンデンサ１７０に電荷が蓄積され、蓄積された電荷によって各端子（例えば、電圧計出力端子ＴＭ１）に供試電圧ＶＴ程度の電圧が出力される。遮断器試験器１は、放電部ＤＣを備えるため、試験後に平滑コンデンサ１７０に蓄電された電荷を放電することにより電圧計出力端子ＴＭ１などに出力される電圧を低減することができる。
【００３８】
以上、本発明の実施形態を、図面を参照して詳述してきたが、具体的な構成はこの実施形態に限られるものではなく、本発明の趣旨を逸脱しない範囲で適宜変更を加えることができる。また、本発明の趣旨を逸脱しない範囲で、上述した各実施形態を適宜組み合わせることができる。
【００３９】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００４０】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００４１】
１…遮断器試験器、２…遮断器、３…経過時間カウンタ、４…校正済み電圧計、２１…畜勢コイル、２２…投入コイル、２２−１…投入ラッチ、２３…開放コイル、２３−１…開放ラッチ、２４…投入バネ、２５…開放バネ、２６…遮断用接点、２７…畜勢モータ、２８…インターロック部、３１…経過時間カウンタ駆動電源コード、１１０…電源端子、１１１…アース端子、１２０…一次側ブレーカ、１３０…電源ランプ、１４０…電圧調整部、１５０…二次側ヒューズ、１６０…整流ブリッジ、１７０…平滑コンデンサ、１８０…電圧計、１９０…二次側ブレーカ、２００…整流ブリッジ、２１０…畜勢出力ランプ、ＴＭ１…電圧計出力端子、ＴＭ２…遮断器操作出力端子、ＴＭ２１…開放コイル接続端子、ＴＭ２２…投入コイル接続端子、ＴＭ２３…共通端子、ＴＭ３…タイミング出力端子、ＴＭ４…畜勢出力端子、ＲＬＹ…リレー、ＳＷ１…選択操作スイッチ、ＳＷ２…出力操作スイッチ、ＳＷ３…畜勢指示スイッチ、ＳＷ４…放電スイッチ、ＶＴ…供試電圧、ＩＴ…供試電流、ＤＣ…放電部、ＲＥＧ…整流部、ＡＣ…交流電力アウトレット
【図１】
2019204640.tif 000003
【図２】
2019204640.tif 000004
【図３】
2019204640.tif 000005
【図４】
2019204640.tif 000006
【図５】
2019204640.tif 000007